(57)【要約】【課題】原稿の両面を読取可能な画像読取装置において、省エネルギー及び静音性に優れた構成を実現する。【解決手段】イメージスキャナ装置２０は、原稿を原稿搬送経路に沿って搬送する複数の送りローラを備え、この送りローラは第１モータ２０１によって駆動される。クラッチ５８，６６は、伝達ギア群７１が伝達した第１モータ２０１の動力を、送りローラに伝達するか遮断するかを切替可能である。イメージスキャナ装置２０が備える制御部は、片面読取モードでは、第１モータ２０１が発生させた動力を、複数の送りローラのうち片面専用の送りローラに対して伝達するとともに、両面専用の送りローラには伝達しないようにクラッチ５８，６６を制御する。また、制御部は、両面読取モードでは、第１モータ２０１が発生させた動力を両面専用の送りローラに対して伝達するとともに、片面専用の送りローラには伝達しないようにクラッチ５８，６６を制御する。【選択図】図３
2010269934.tif 000002
【特許請求の範囲】
【請求項１】
原稿をセット可能な原稿トレイと、
前記原稿トレイに積層された前記原稿を１枚ずつ分離して搬送する分離部と、
前記原稿の画像情報を読み取るための読取部と、
前記原稿の片面のみを読み取るときは、前記原稿の片面のみが前記読取部によって読み取られるように前記原稿を案内し、前記原稿の両面を読み取るときは、前記原稿の両面が前記読取部によって読み取られるように前記原稿を案内する原稿搬送経路と、
前記原稿を前記原稿搬送経路に沿って搬送する複数の送りローラと、
前記送りローラを回転させるための動力を発生させる駆動源と、
前記駆動源が発生させた動力を伝達する動力伝達部と、
前記動力伝達部の動力を前記送りローラに伝達するか遮断するかを切替可能なクラッチと、
前記原稿の片面のみを読み取るときは、前記駆動源が発生させた動力を、前記送りローラのうち片面のみを読み取るときに用いる送りローラに対して伝達するとともに、両面を読み取るときにのみ用いる送りローラのうち少なくとも一部に対しては伝達しないように前記クラッチを制御し、
前記原稿の両面を読み取るときは、前記駆動源が発生させた動力を、前記送りローラのうち両面を読み取るときにのみ用いる送りローラに対して伝達するとともに、片面のみを読み取るときにのみ用いる送りローラのうち少なくとも一部に対しては伝達しないように前記クラッチを制御する制御部と、
を備えることを特徴とする画像読取装置。
【請求項２】
請求項１に記載の画像読取装置であって、
前記クラッチは電磁クラッチであることを特徴とする画像読取装置。
【請求項３】
請求項１又は２に記載の画像読取装置であって、
前記原稿搬送経路は、前記原稿の片面のみを読み取るときにのみ当該原稿が搬送される片面専用経路と、前記原稿の両面を読み取るときにのみ当該原稿が搬送される両面専用経路と、を含み、
前記送りローラは、前記片面専用経路に設置される片面専用送りローラと、前記両面専用経路に設置される両面専用送りローラと、を含み、
前記制御部は、
前記原稿の片面のみを読み取るときは、前記片面専用送りローラに対しては前記駆動源の動力を伝達し、前記両面専用送りローラに対しては前記駆動源の動力を遮断するように前記クラッチを制御し、
前記原稿の両面を読み取るときは、前記両面専用送りローラに対しては前記駆動源の動力を伝達し、前記片面専用送りローラに対しては前記駆動源の動力を遮断するように前記クラッチを制御することを特徴とする画像読取装置。
【請求項４】
請求項３に記載の画像読取装置であって、
前記両面専用経路は、
前記分離部によって分離された前記原稿の一方の面が前記読取部によって読み取られるように前記原稿を案内する第１両面専用経路と、
前記第１両面専用経路を通って一方の面が読み取られた前記原稿の他方の面が前記読取部によって読み取られるように前記原稿を反転させて案内する第２両面専用経路と、
を含むことを特徴とする画像読取装置。
【請求項５】
請求項３又は４に記載の画像読取装置であって、
前記クラッチは、前記片面専用経路と前記両面専用経路とが合流する合流部の近傍に設置されていることを特徴とする画像読取装置。
【請求項６】
請求項１から５までの何れか一項に記載の画像読取装置であって、
前記駆動源が発生させた動力は、前記動力伝達部と、前記読取部による原稿の読取位置の近傍に配置された送りローラに動力を伝達する動力伝動部と、に分かれて伝達されることを特徴とする画像読取装置。
【請求項７】
請求項１から６までの何れか一項に記載の画像読取装置であって、
片面のみを読み取るときに前記駆動源に流れる電流が、両面を読み取るときに前記駆動源に流れる電流より小さいことを特徴とする画像読取装置。
【発明の詳細な説明】
【技術分野】
【０００１】
本発明は、原稿の両面を読み取ることが可能な画像読取装置に関する。
【背景技術】
【０００２】
自動原稿搬送装置（ＡＤＦ）を備えたイメージスキャナ装置等の画像読取装置において、自動で原稿の両面の画像を読取可能とするために、様々な構成が従来から提案されている。例えば、表面用と裏面用にそれぞれ原稿読取部を備え、ワンパスで両面読取りを行う構成や、原稿の搬送方向を逆転させる、いわゆるスイッチバック機能を備えた構成等が知られている。
【０００３】
上記の他にも、原稿を反転させる経路を設けることで、１つの読取部で原稿の表側の面と裏側の面との両面を読み取らせる構成の画像読取装置が知られている。特許文献１及び特許文献２は、この種の画像読取装置を開示する。
【０００４】
特許文献１は、以下のように構成される画像読取装置を開示する。即ち、画像読取装置は、導入パスと、反転パスと、排出パスと、を有するシート搬送パスを備える。導入パスは、原稿を一端部から読取位置へ導く。反転パスは、前記読取位置の他端部から排出された原稿の表裏を反転させて再び前記他端部から前記読取位置へ導く環状に構成されている。排出パスは、前記読取位置の前記一端部から排出された原稿を排出部へ排出する。また、前記自動原稿送り装置は、前記シート搬送パスに設けられていて、シート原稿を送る方向の一方向に回転する複数の原稿送り回転体と、前記原稿送り回転体を駆動するものであって一方向に回転する駆動手段と、を備える。
【０００５】
特許文献２は、以下のように構成される画像読取装置を開示する。即ち、画像読取装置は、原稿を積載するトレイと、このトレイより１枚ずつ原稿を送り出す給送手段と、を備える。また、両面原稿送り装置は、送り出された原稿の第１の面を走査面に送り込み走査後に原稿の表裏面を反転して上記走査面へと原稿の第２の面を送り、第２の面の走査後に排出してなる搬送手段を備える。そして、上記搬送手段は、送り出された原稿の第１の面を上記走査面に送り込む第１の搬送手段と、第１の面の走査後に原稿の表裏面を搬送状態を逆転することなく原稿の表裏面を反転する反転手段と、を有する。また、上記搬送手段は、この反転手段にて搬送状態を逆転することなく表裏面が反転された原稿の第２の面を上記走査面に送り込むために上記第１の搬送手段の一部を共用した搬送部を経由し上記第１の面の送り方向と逆方向より送り込む第２の搬送手段を有する。そして、搬送手段は、上記一部を共用した搬送部の位置から上記第１又は第２の搬送手段を介して上記走査面へと送り込む方向を選択的に分岐する分岐手段と、第２の面の走査後に原稿を排出する排出手段と、を有する。
【先行技術文献】
【特許文献】
【０００６】
【特許文献１】特開平６−２４７６４２号公報
【特許文献２】特開平１０−６９１２９号公報
【発明の概要】
【発明が解決しようとする課題】
【０００７】
特許文献１及び２の画像読取装置は、反転パスを備える必要があるため、上述のワンパス方式又はスイッチバック方式と比較して、搬送経路を短く構成することが困難である。また、搬送ローラ（原稿送り回転体）を多く配置する必要があるため、これらの搬送ローラを駆動するために、比較的サイズの大きいモータ又は複数個のモータが必要になることが多い。この結果、消費電力が大きくなり、原稿搬送時の騒音も大きくなってしまう。
【０００８】
本発明は以上の事情に鑑みてされたものであり、その目的は、反転パスを備え、原稿の両面の画像を読み取る手段を備えた画像読取装置において、省エネルギー性及び静音性に優れる画像読取装置を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成の画像読取装置が提供される。即ち、画像読取装置は、原稿トレイと、分離部と、読取部と、原稿搬送経路と、送りローラと、駆動源と、動力伝達部と、クラッチと、制御部と、を備える。前記原稿トレイは、原稿をセット可能である。前記分離部は、前記原稿トレイに積層された前記原稿を１枚ずつ分離して搬送する。前記読取部は、前記原稿の画像情報を読み取る。前記原稿搬送経路は、前記原稿の片面のみを読み取るときは、前記原稿の片面のみが前記読取部によって読み取られるように前記原稿を案内し、前記原稿の両面を読み取るときは、前記原稿の両面が前記読取部によって読み取られるように前記原稿を案内する。前記送りローラは、前記原稿を前記原稿搬送経路に沿って搬送する。前記駆動源は、前記送りローラを回転させるための動力を発生させる。前記動力伝達部は、前記駆動源が発生させた動力を伝達する。前記クラッチは、前記動力伝達部の動力を前記送りローラに伝達するか遮断するかを切替可能である。前記制御部は、前記原稿の片面のみを読み取るときは、前記駆動源が発生させた動力を、前記送りローラのうち片面のみを読み取るときに用いる送りローラに対して伝達するとともに、両面を読み取るときにのみ用いる送りローラのうち少なくとも一部に対しては伝達しないように前記クラッチを制御する。また、前記制御部は、前記原稿の両面を読み取るときは、前記駆動源が発生させた動力を、前記送りローラのうち両面を読み取るときにのみ用いる送りローラに対して伝達するとともに、片面のみを読み取るときにのみ用いる送りローラのうち少なくとも一部に対しては伝達しないように前記クラッチを制御する。
【００１１】
これにより、片面読取と両面読取を切替可能なＡＤＦ型の画像読取装置を提供できる。また、原稿が搬送されない経路の送りローラに動力を伝達しないようにできるので、駆動源の負担を軽減することができ、省エネルギーで低騒音な画像読取装置を実現できる。
【００１２】
前記の画像読取装置においては、前記クラッチは電磁クラッチであることが好ましい。
【００１３】
これにより、画像読取装置を小型化及び軽量化することができる。また、電磁クラッチは電気信号で制御可能なため、簡単な構成で制御を行うことができる。
【００１４】
前記の画像読取装置は以下の構成であることが好ましい。即ち、前記原稿搬送経路は、片面専用経路と両面専用経路とを含む。前記片面専用経路は、前記原稿の片面のみを読み取るときにのみ当該原稿が搬送される。前記両面専用経路は、前記原稿の両面を読み取るときにのみ当該原稿が搬送される。前記送りローラは、片面専用送りローラと両面専用送りローラとを含む。前記片面専用送りローラは、前記片面専用経路に設置される。前記両面専用送りローラは、前記両面専用経路に設置される。前記制御部は、前記原稿の片面のみを読み取るときは、前記片面専用送りローラに対しては前記駆動源の動力を伝達し、前記両面専用送りローラに対しては前記駆動源の動力を遮断するように前記クラッチを制御する。一方、前記制御部は、前記原稿の両面を読み取るときは、前記両面専用送りローラに対しては前記駆動源の動力を伝達し、前記片面専用送りローラに対しては前記駆動源の動力を遮断するように前記クラッチを制御する。
【００１５】
これにより、クラッチを制御するだけで、原稿の搬送に必要のない送りローラを停止させることができる。従って、一層の省エネルギーを実現できる。
【００１６】
前記の画像読取装置においては、前記両面専用経路は、第１両面専用経路と第２両面専用経路を含む。第１両面専用経路は、前記分離部によって分離された前記原稿の一方の面が前記読取部によって読み取られるように前記原稿を案内する。前記第２両面専用経路は、前記第１両面専用経路を通って一方の面が読み取られた前記原稿の他方の面が前記読取部によって読み取られるように前記原稿を反転させて案内する。
【００１７】
これにより、第１両面専用経路と第２両面専用経路を設けることで、両面読取時に原稿が搬送される経路を柔軟に設定することができる。
【００１８】
前記の画像読取装置においては、前記クラッチは、前記片面専用経路と前記両面専用経路とが合流する合流部の近傍に設置されていることが好ましい。
【００１９】
これにより、動力伝達部及びクラッチを含めた動力伝達経路の構成を簡単にすることができる。
【００２０】
前記の画像読取装置においては、前記駆動源が発生させた動力は、前記動力伝達部と、前記読取部による原稿の読取位置の近傍に配置された送りローラに動力を伝達する動力伝動部と、に分かれて伝達されることが好ましい。
【００２１】
これにより、読取位置の近傍の送りローラが前記クラッチを経由せずに直接駆動されるので、読取位置の近傍の送りローラの回転に対して前記クラッチのガタが悪影響を及ぼすことを回避できる。この結果、原稿の読取時のブレを抑制でき、読取画像の歪みを防止することができる。
【００２２】
前記の画像読取装置においては、片面のみを読み取るときに前記駆動源に流れる電流が、両面を読み取るときに前記駆動源に流れる電流より小さいことが好ましい。
【００２３】
これにより、原稿の片面のみを読み取る場合は、原稿の搬送時の消費電力を節約することができる。一方で、原稿の両面を読み取る場合は、片面のみを読み取る場合に比べて大きな動力が一般的に必要になるが、その動力を生じさせるのに十分な電流を供給することができる。
【図面の簡単な説明】
【００２４】
【図１】本発明の一実施形態に係る複合機の正面図。
【図２】複合機が備えるイメージスキャナ装置におけるＡＤＦの正面断面図。
【図３】ＡＤＦの各ローラに動力を伝えるための動力伝達経路を示す正面図。
【図４】ＡＤＦの電気的な構成を示すブロック図。
【発明を実施するための形態】
【００２５】
図面を参照して本発明の実施の形態を説明する。図１は本発明の一実施形態に係る複合機１０の正面図である。
【００２６】
図１に示す複合機１０は、ブックスキャナ及びオートドキュメントフィードスキャナとして機能するイメージスキャナ装置（画像読取装置）２０を、当該複合機１０の上部に備えている。また、複合機１０は、コピー部数及び原稿読取モード（片面読取モード、両面読取モード等）等を指示するための操作パネル１２を備える。
【００２７】
更に、複合機１０は、記録媒体としての用紙に画像を形成する画像形成部等を内蔵した本体１１と、前記用紙を順次供給する給紙カセット７９と、を備えている。この本体１１は、通信回線を介して画像データを伝送するための図略の送受信部等を備える。
【００２８】
イメージスキャナ装置２０は、図略のプラテンガラスと原稿台カバー１３とを備えている。この原稿台カバー１３には自動原稿搬送装置（オートドキュメントフィーダ、ＡＤＦ）２１が備えられている。また、イメージスキャナ装置２０は、原稿の画像を読み取るためのスキャナユニット２５を備えている。
【００２９】
このスキャナユニット２５は、光源、反射ミラー、集光レンズ及びＣＣＤ等を備える縮小光学系のスキャナ部として構成されており、ＡＤＦ２１内を搬送される原稿を所定の読取位置９０で読み取ることができる。スキャナユニット２５は、原稿搬送経路７０を搬送されてきた原稿に対し、前記光源からの光を照射する。原稿からの反射光は前記ＣＣＤへ導かれて結像し、このＣＣＤは原稿に応じた電気信号を出力する。
【００３０】
以上の構成で、イメージスキャナ装置２０をオートドキュメントフィードスキャナとして使用する場合は、前記ＡＤＦ２１によって原稿を１枚ずつ搬送する。そして、原稿は、その片面のみ又は両面がスキャナユニット２５によって読み取られる。
【００３１】
一方、イメージスキャナ装置２０をブックスキャナとして使用する場合は、読み取るべきブック原稿をユーザがプラテンガラス上に載置して、その上から原稿台カバー１３によって押圧し、ブック原稿が動かないように固定する。この状態で、スキャナユニット２５によって原稿の画像を読み取ることができるようになっている。
【００３２】
上記した何れかの方法によって読み取られた画像データは、前記画像形成装置等に入力される。そして、給紙カセット７９から供給される用紙に当該データが印刷されることで、複合機１０のコピー機能を実現することができる。あるいは、画像のデータを相手先のファクシミリ装置に伝送することで、複合機１０のファクシミリ送信機能を実現することができる。
【００３３】
次に図２を参照して、イメージスキャナ装置２０が備えるＡＤＦ（自動原稿搬送装置、オートドキュメントフィーダ）２１の詳細な構成について説明する。図２は、ＡＤＦ２１の正面断面図である。
【００３４】
イメージスキャナ装置２０は、原稿９９を読み取るためのスキャナユニット２５と、原稿９９を搬送するためのＡＤＦ２１と、を備えており、このＡＤＦ２１の底部には、原稿９９を読み取るためのコンタクトガラス４５が配置されている。このコンタクトガラス４５は、前記スキャナユニット２５の読取位置９０に対応するように配置されている。また、このコンタクトガラス４５は、読取位置９０を通過する原稿９９の下側の面に対面するように配置される。
【００３５】
ＡＤＦ２１の内部には、読取位置９０を通過するように原稿トレイ２３と排出トレイ２４とを繋ぐ湾曲状の原稿搬送経路７０が構成されている。この原稿搬送経路７０は、導入パス８０と、片面専用パス（片面専用経路）８１と、第１両面専用パス（第１両面専用経路）８３と、第２両面専用パス（第２両面専用経路）８４と、共通案内パス８５と、排出パス８２と、を備えている。以下に、原稿搬送経路７０を構成するこれらのパスについて説明する。
【００３６】
導入パス８０は、原稿トレイ２３上の原稿９９をＡＤＦ２１内に導入するためのものである。導入パス８０は、図２に示すように、ＡＤＦ２１内に原稿トレイ２３の原稿９９が供給される位置から、原稿トレイ２３から離れる向きに略水平に延びる構成となっている。この導入パス８０の経路上には、ピックアップローラ３１が配置されている。また、このピックアップローラ３１の下流側であって導入パス８０の経路上には、分離ローラと、この分離ローラに対向配置される対向ローラ等で構成される分離部３２が配置されている。
【００３７】
ピックアップローラ３１は前記分離ローラの回転軸を中心にして回動可能に構成されており、ＡＤＦ２１の非動作時においては、ピックアップローラ３１は２点鎖線で示す上側の位置に保持されている。一方、原稿９９を繰り込む際はピックアップローラ３１が下方に回動し、原稿トレイ２３に重ねてセットされている原稿のうち、最上層にある原稿９９の端部に接触する（図２に示す実線の位置）。この状態でピックアップローラ３１が回転することによって、原稿トレイ２３上の最上層の原稿９９が分離部３２に送られる。
【００３８】
ピックアップローラ３１によって分離部３２へ送られた原稿９９は、当該分離部３２の前記分離ローラ及び対向ローラの間にニップされる。そして原稿９９は、回転駆動する分離ローラ及び対向ローラによって１枚ずつ分離され、下流側のレジストローラ３３に送られる。レジストローラ３３は、分離部３２の下流側であって導入パス８０の経路上に配置された１対のローラによって構成されている。レジストローラ３３は、分離部３２によって搬送されてくる原稿の先頭側を一時的に止めて弛ませ、所定時間後に弛みを除去しつつ下流側に搬送する。これにより、原稿の斜行が矯正される。
【００３９】
レジストローラ３３の下流側には、導入パス８０の下流側端部と、片面専用パス８１の上流側端部及び第１両面専用パス８３の上流側端部と、が接続される三叉路状の分岐部９１が形成されている。この分岐部９１には切替装置９５が配置されており、この切替装置９５は、爪状に形成される回転部材と図略のソレノイドを備えている。切替装置９５は、前記ソレノイドによって回転部材を回転させることで、レジストローラ３３の駆動によって導入パス８０から搬送されてきた原稿９９を片面専用パス８１又は第１両面専用パス８３に振り分けることが可能に構成されている。
【００４０】
なお、この片面専用パス８１と第１両面専用パス８３との間の経路の切替は、前記操作パネル１２での原稿読取モードの指定等に基づき、本体１１に備えられた制御部１１０（図４）によって制御される。この制御部１１０はマイクロコンピュータとされ、演算部としてのＣＰＵと、記憶部としてのＲＯＭ及びＲＡＭと、を備えて構成されている。
【００４１】
片面専用パス８１は、原稿９９の片面を読み取る場合にのみ使用される経路である。図２に示すように、片面専用パス８１は、前記原稿トレイ２３から離れる向きに分岐部９１からほぼ水平に延びて前記コンタクトガラス４５（読取位置９０）の上方を通過した後、その向きを下方に向けるように湾曲するように構成されている。また、片面専用パス８１は、合流部９２で第２両面専用パス８４と合流しながら共通案内パス８５の上流側端部に接続するように構成されている。この片面専用パス８１の経路上には、搬送ローラ（片面専用送りローラ）３４，３５が配置されている。これらのローラが駆動されることによって、片面専用パス８１に案内されてきた原稿９９を合流部９２まで搬送することができる。
【００４２】
共通案内パス８５は、片面読取及び両面読取の何れの場合でも共通に使用される経路である。この共通案内パス８５は、前記合流部９２から下方に延びるとともに、読取位置９０に向かうように斜めに（排出トレイ２４側に）曲げられた形状に構成されている。この共通案内パス８５の経路上には、搬送ローラ（送りローラ）３６及び三連ローラ（送りローラ）３７が配置されている。搬送ローラ３６及び三連ローラ３７が駆動されることによって、合流部９２に送られた原稿９９をＡＤＦ２１の底部の読取位置９０まで搬送することができる。なお、三連ローラ３７の構成については後述する。
【００４３】
本実施形態では、スキャナユニット２５による読取位置９０が、片面専用パス８１及び共通案内パス８５からなる横向きＵ字状の折返し部９３よりも下流側に位置するように構成されている。従って、片面専用パス８１及び共通案内パス８５から構成される経路によって、原稿９９は反転した状態で前記読取位置９０まで導かれることになる。ここで、原稿トレイ２３において原稿９９は、その表側の面が上向きとなるようにセットされる。従って、原稿９９は、折返し部９３を通過することでその表側の面が下側に向けられ、読取位置９０においてスキャナユニット２５の読取面（コンタクトガラス４５）に対面するように搬送されることになる。なお、片面専用パス８１を搬送されて読取位置９０を通過するときの原稿９９の搬送方向は、当該原稿９９がピックアップローラ３１によって導入パス８０に繰り込まれる向きと逆になっている。
【００４４】
スキャナユニット２５の読取位置９０で画像が読み取られた原稿９９は、排出パス８２へと導かれる。この排出パス８２は第１両面専用パス８３の下方に配置されており、前記読取位置９０から若干斜め上方に延びた後、ほぼ水平方向に延びて排出トレイ２４に接続するように構成されている。排出パス８２の経路上には三連ローラ（送りローラ）４０及び排出ローラ３９が配置されており、これらのローラが駆動されることによって原稿９９を排出トレイ２４に排出するように構成されている。なお、三連ローラ４０の構成については後述する。
【００４５】
第１両面専用パス８３は、原稿９９の両面を読み取る場合にのみ使用される経路である。第１両面専用パス８３は、前記片面専用パス８１の下側に位置し、ほぼ直線的に読取位置９０に向かうように構成されている。第１両面専用パス８３の経路上には案内ローラ３８及び前記三連ローラ４０が配置されており、これらのローラが駆動されることによって原稿９９が読取位置９０まで搬送される。なお、この第１両面専用パス８３を通過した原稿９９が読取位置９０を通過するときの搬送方向は、前記片面専用パス８１を通過した原稿９９が読取位置９０を通過するときの搬送方向と逆になっている。
【００４６】
この第１両面専用パス８３は、片面専用パス８１のように原稿９９を反転させることなく読取位置９０まで搬送する構成になっている。従って、表側の面を上向きにして原稿トレイ２３にセットされた原稿９９は、第１両面専用パス８３を経由して読取位置９０に搬送された場合、その裏側の面が読み取られることになる。そして、第１両面専用パス８３は、読取位置９０の下流側であって、ＡＤＦ２１の底部近傍で第２両面専用パス８４の上流側端部に接続されている。
【００４７】
第２両面専用パス８４も第１両面専用パス８３と同様に、原稿９９の両面を読み取る場合にのみ使用される。図２に示すように、第２両面専用パス８４は、折返し部９４で原稿９９を反転させることができるように実質Ｕターン状に構成されている。具体的には、第２両面専用パス８４は、ＡＤＦ２１の底部において前記読取位置９０からほぼ水平に（排出トレイ２４から離れる向きに）延びた後、その向きを上方に向けるように湾曲する。その後、第２両面専用パス８４は、前記原稿トレイ２３に近づくように曲げられながら折返し部９４を形成して下方へ湾曲し、合流部９２で片面専用パス８１と合流しながら共通案内パス８５の上流側端部に接続するように構成されている。
【００４８】
第２両面専用パス８４の経路上には、前記三連ローラ３７及び搬送ローラ（両面専用送りローラ）４１，４２，４３が配置されている。この構成で、第１両面専用パス８３を通過して原稿９９の裏側の面が読取位置９０で読み取られ、第２両面専用パス８４に案内された原稿９９は、折返し部９４で反転されて原稿の上下の向きが反対になった状態で合流部９２まで搬送され、その後は共通案内パス８５（搬送ローラ３６及び三連ローラ３７）によって読取位置９０まで再び案内される。従って、原稿９９が２回目に読取位置９０を通過するときは、当該原稿９９の表側の面が読み取られることになる。なお、この第２両面専用パス８４を通過した原稿９９が読取位置９０を通過する向きは、前記第１両面専用パス８３を通過した原稿９９が読取位置９０を通過する向きと逆になっている。
【００４９】
また、本実施形態では、第２両面専用パス８４は、その経路が比較的長距離になるように構成されている。これは、長い原稿の読取を可能にするためである。つまり、第２両面専用パス８４及び共通案内パス８５からなる経路の距離が仮に短いと、読取位置を通過して第２両面専用パスで折り返した原稿が再び読取位置で読み取られるときに、当該原稿の一部（末尾側）が未だ読取位置を通過し切れず、干渉が生じて読取が正常に行われなくなってしまう。
【００５０】
この点、本実施形態の構成では、ある程度の長さを有する原稿も適切に読み取ることができるように、第２両面専用パス８４の長さを十分に確保した設計となっている。また、第２両面専用パス８４を通過する原稿９９の長さは様々であり、短い長さの原稿であっても第２両面専用パス８４に沿って適切に搬送できるように、経路に沿って配置される搬送ローラの間隔をある程度短くする必要がある。従って、本実施形態では、第２両面専用パス８４が長く形成されていることに対応して、比較的多い数（具体的には、３つ）の搬送ローラ４１，４２，４３を当該第２両面専用パス８４に配置することとしている。
【００５１】
また、本実施形態では、片面専用パス８１及び第２両面専用パス８４の下流側端部（合流部９２）と、読取位置９０との間を、共通の経路（共通案内パス８５）によって接続するように構成されている。言い換えれば、片面専用パス８１と第２両面専用パス８４とが合流部９２で合流し、この合流部９２から読取位置９０までの共通案内パス８５が、片面読取の場合と両面読取の場合で共通に利用されるようになっている。これによって、原稿９９を搬送するための部材（搬送ローラ３６、三連ローラ３７等）を共通化することができ、部品点数の削減が可能となる。また、原稿搬送経路７０をコンパクトにまとめることができ、ＡＤＦ２１内の空間を効率的に活用できる。
【００５２】
三連ローラ４０について説明する。三連ローラ４０は、中央側に配置される駆動ローラと、この駆動ローラを挟み込むように配置される２つの従動ローラとで構成されている。三連ローラ４０は、駆動ローラが第１両面専用パス８３と排出パス８２とに挟まれるようにして、読取位置９０の近傍に配置される。そして、２つの従動ローラのうち一方が第１両面専用パス８３を挟んで駆動ローラに対向して配置され、他方の従動ローラが排出パス８２を挟んで駆動ローラに対向して配置されている。この構成で、中央に配置された駆動ローラを駆動して回転させることによって、当該駆動ローラに隣接する２つの従動ローラを同時に回転させることができる。従って、部品点数を削減できるとともに、ＡＤＦ２１内の限られたスペースを有効に活用することができる。
【００５３】
なお、三連ローラ３７は前記三連ローラ４０と同様の構成であって、その駆動ローラが第２両面専用パス８４と共通案内パス８５とに上下を挟まれるようにして、読取位置９０の近傍に配置されている。そして、２つの従動ローラのうち一方が、読取位置９０近傍のＡＤＦ２１底部で、第２両面専用パス８４を挟んで駆動ローラに対向するように配置されている。また、他方の従動ローラは、前記駆動ローラの斜め上側であって、前記共通案内パス８５を挟んで駆動ローラに対向するように配置されている。
【００５４】
また、三連ローラ以外のローラ（分離部３２の分離ローラ、レジストローラ３３、搬送ローラ３４〜３６、案内ローラ３８、排出ローラ３９、搬送ローラ４１〜４３）も、互いに対向する駆動ローラと従動ローラとから構成されている。即ち、図２において原稿の経路を挟んで対で配置されているローラのうち、少し大きく描かれているのが駆動ローラであり、他方のローラが従動ローラである。また、分離部３２においては、図２において上側に描かれているのが駆動ローラである。
【００５５】
上記の駆動ローラのそれぞれは、後述のモータの駆動力が伝達されることにより駆動される。一方、従動ローラは、図示しない弾性部材によって駆動ローラに対して押し付けられ、駆動ローラとの間で原稿９９をニップできる構成になっている。
【００５６】
次に、原稿搬送経路７０に配置される上記のローラを駆動するための構成について、図３を参照して説明する。図３は、ＡＤＦ２１の各ローラに動力を伝える駆動伝達経路を示す正面図である。
【００５７】
図２を参照して説明したそれぞれのローラ（駆動ローラ）の動力は、図３に示す第１モータ（駆動源）２０１及び第２モータ２０２によって供給されている。具体的には、搬送ローラ３４〜３６，４１〜４３及び三連ローラ３７，４０は、第１モータ２０１によって駆動される。また、分離部３２の分離ローラ、レジストローラ３３、案内ローラ３８及び排出ローラ３９は、第２モータ２０２によって駆動される。
【００５８】
第１モータ２０１及び第２モータ２０２の出力軸には、第１モータギア５０及び第２モータギア５９がそれぞれ固定されている。また、ＡＤＦ２１は、第１モータ２０１及び第２モータ２０２が発生した動力を各ローラへ伝達するための伝達部材群を備えている。この伝達部材群は、大きく分けて、伝達ギア群（動力伝達部）７１と、片面専用プーリ群７２と、両面専用ギア群７３と、読取用ギア群（動力伝動部）７４と、第２ギア群７５と、により構成されている。
【００５９】
第１モータ２０１及び第２モータ２０２は、電気モータとして構成されている。図４に示すように、これらのモータ２０１，２０２は前記制御部１１０と電気的に接続されており、制御部１１０は、それぞれのモータ２０１，２０２の回転及び停止を適宜制御することができる。また、ＡＤＦ２１は電流制御部１１１を備えており、この電流制御部１１１は、制御部１１０からの信号に応じて、第１モータ２０１に流れる電流を変化させることができるように構成されている。
【００６０】
図３に示すように、第１モータ２０１によって駆動される第１モータギア５０は、伝達ギア群７１の伝達ギア５５と噛み合うとともに、読取用ギア群７４の伝達ギア５１と噛み合っている。
【００６１】
伝達ギア群７１は、前記伝達ギア５５のほか、ローラギア５６及び伝達ギア５７を備えている。伝達ギア５５は、ローラギア５６及び伝達ギア５７の双方と噛み合っている。ローラギア５６は、図２に示す搬送ローラ３６と、シャフトにより連結されている。図３に示すように、伝達ギア５７は、第１クラッチ５８の入力ギアと噛み合うとともに、第２クラッチ６６の入力ギアと噛み合っている。
【００６２】
読取用ギア群７４は、前記伝達ギア５１のほか、ローラギア５３、伝達ギア５２及びローラギア５４を備えている。伝達ギア５１は、ローラギア５３及び伝達ギア５２の双方と噛み合っている。また、ローラギア５４は伝達ギア５２と噛み合っている。ローラギア５３は、図２に示す三連ローラ３７とシャフトにより連結されている。また、図２に示すローラギア５４は、図３に示す三連ローラ４０とシャフトにより連結されている。
【００６３】
第１クラッチ５８は、同軸で配置された入力ギアと出力ギアを備えている。また、第１クラッチ５８は、片面専用パス８１と第２両面専用パス８４とが合流する合流部９２（図２）の近傍に配置されている。前記入力ギアは前記伝達ギア群７１の伝達ギア５７と噛み合っており、出力ギアは前記片面専用プーリ群７２の伝達ギア６８と噛み合っている。第１クラッチ５８は公知の電磁クラッチとして構成されており、入力ギアと出力ギアを一体的に連結する接状態（動力伝達状態）と、当該連結を解除する断状態（遮断状態）と、の間で切り替えることができる。図４に示すように、第１クラッチ５８は制御部１１０に電気的に接続されている。制御部１１０は、第１クラッチ５８に制御信号を出力することで、第１クラッチ５８の状態を切り替えることができる。
【００６４】
第２クラッチ６６も第１クラッチ５８と同様に、同軸で配置された入力ギアと出力ギアを備えている。また、第２クラッチ６６は、片面専用パス８１と第２両面専用パス８４とが合流する合流部９２（図２）の近傍に配置されている。前記入力ギアは前記伝達ギア群７１の伝達ギア５７と噛み合っており、出力ギアは前記両面専用ギア群７３の２つのローラギア６２，６３と噛み合っている。第２クラッチ６６も電磁クラッチとして構成されており、入力ギアと出力ギアを一体的に連結する接状態（動力伝達状態）と、当該連結を解除する断状態（遮断状態）と、の間で切り替えることができる。図４に示すように、第２クラッチ６６は制御部１１０に電気的に接続されている。制御部１１０は、第２クラッチ６６に制御信号を出力することで、第２クラッチ６６の状態を切り替えることができる。
【００６５】
片面専用プーリ群７２は、前記伝達ギア６８のほか、２つのプーリ６４，６５を備えている。前記伝達ギア６８にはプーリが固定されており、このプーリと２つのプーリ６４，６５には、タイミングベルト６０が巻き掛けられている。また、タイミングベルト６０の外周に接触するようにして、ベルトローラ６９が設置されている。このベルトローラ６９は、タイミングベルト６０の軌道を屈曲させることで、プーリ６５に対するタイミングベルト６０の巻掛け角度を確保している。プーリ６４は、図２に示す搬送ローラ３４とシャフトにより連結されている。また、図３に示すプーリ６５は、図２に示す搬送ローラ３５とシャフトにより連結されている。
【００６６】
両面専用ギア群７３は、前記ローラギア６２，６３のほか、伝達ギア６７及びローラギア６１を備えている。伝達ギア６７はローラギア６２と噛み合い、ローラギア６１は伝達ギア６７と噛み合っている。ローラギア６３は、図２に示す搬送ローラ４３とシャフトにより連結されている。また、図３に示すローラギア６２は、図２に示す搬送ローラ４２とシャフトにより連結されている。更に、図３に示すローラギア６１は、図２に示す搬送ローラ４１とシャフトにより連結されている。
【００６７】
図３に示すように、第２モータ２０２によって駆動される第２モータギア５９は、第２ギア群７５の伝達ギア１０１と噛み合っている。
【００６８】
第２ギア群７５は、前記伝達ギア１０１のほか、ローラギア１０９、伝達ギア１０４、ローラギア１０８、伝達ギア１０５、伝達ギア１０６、ローラギア１０３、伝達ギア１０７及びローラギア１０２を備えている。前記伝達ギア１０４は、ローラギア１０９と噛み合うと同時に、伝達ギア１０４と噛み合っている。伝達ギア１０４は、ローラギア１０８と噛み合うと同時に、伝達ギア１０５と噛み合っている。伝達ギア１０５は伝達ギア１０６と噛み合い、伝達ギア１０６はローラギア１０３と噛み合っている。ローラギア１０３は伝達ギア１０７と噛み合い、伝達ギア１０７はローラギア１０２と噛み合っている。
【００６９】
ローラギア１０９は、図２の排出ローラ３９とシャフトにより連結されている。図３に示すローラギア１０８は、図２に示す案内ローラ３８とシャフトにより連結されている。図３に示すローラギア１０３は、図２に示すレジストローラ３３と、図略のクラッチ等を介して連結されている。図３に示すローラギア１０２は、図２に示す分離部３２の駆動ローラと、図略のクラッチ等を介して連結されている。
【００７０】
次に、以上の構成のＡＤＦ２１によって原稿９９を搬送して片面（表側の面）のみを読み取る場合について説明する。
【００７１】
ユーザが複合機１０に対し、図１の操作パネル１２等を操作して片面読取モードを指定した上で、原稿トレイ２３に原稿９９をセットしてコピー開始を指示したとする。すると、図４に示す制御部１１０の制御により、切替装置９５は原稿９９の経路を片面専用パス８１側に切り替える。そして、制御部は、第１モータ２０１及び第２モータ２０２の駆動を開始するとともに、第１クラッチ５８を接状態とし、第２クラッチ６６を断状態とするように制御する。これにより、伝達ギア群７１、片面専用プーリ群７２、読取用ギア群７４及び第２ギア群７５に対して、それぞれのモータ２０１，２０２の駆動力が伝達される。
【００７２】
第２ギア群７５が駆動されることで、ＡＤＦ２１のピックアップローラ３１及び分離部３２が駆動される。従って、原稿９９は分離部３２によって１枚ずつ分離されて導入パス８０を通過し、（前記切替装置９５によって）片面専用パス８１へ案内される。また、片面専用プーリ群７２を介して搬送ローラ３４，３５が駆動され、伝達ギア群７１を介して搬送ローラ３６が駆動され、読取用ギア群７４を介して三連ローラ３７が駆動されている。従って、原稿９９は、上記のローラの回転によって片面専用パス８１及び共通案内パス８５に沿って搬送され、折返し部９３でＵターンしつつ読取位置９０へ送られる。そして、原稿９９の内容は、読取位置９０の下側に位置するスキャナユニット２５の読取面（コンタクトガラス４５）によって読み取られる。
【００７３】
また、読取用ギア群７４を介して三連ローラ４０が駆動され、第２ギア群７５を介して排出ローラ３９が駆動されている。従って、読取位置９０を通過した原稿９９は、上記のローラの回転によって排出パス８２に沿って搬送され、排出トレイ２４に排出される。
【００７４】
なお、この片面読取モードにおいては第２クラッチ６６が断状態となっているので、両面専用ギア群７３への動力伝達は遮断され、第２両面専用パス８４の搬送ローラ４１，４２，４３は駆動されない。従って、原稿９９が通過しない第２両面専用パス８４の部分の駆動を止めることができるので、第１モータ２０１の消費電力を節約できるとともに、騒音を低減することができる。本実施形態において、制御部１１０は、片面読取モードにおいては第１モータ２０１に流れる電流が両面読取モードよりも若干小さくなるように電流制御部１１１（図４）を通じて制御しており、これにより省電力が実現されている。特に、本実施形態では前述のとおり、第２両面専用パス８４の搬送ローラ４１，４２，４３の数が比較的多くなっているので、その省電力化及び低騒音化の効果は顕著である。
【００７５】
次に、原稿の両面を読み取る場合について説明する。
【００７６】
ユーザが複合機１０に対し、図１の操作パネル１２等を操作して両面読取モードを指定した上で、原稿トレイ２３に原稿９９をセットしてコピー開始を指示したとする。すると、図４の制御部１１０の制御により、切替装置９５は原稿９９の経路を第１両面専用パス８３側に切り換える。そして制御部１１０は、片面読取モードのときと同様に第１モータ２０１及び第２モータ２０２の駆動を開始するとともに、第１クラッチ５８を断状態とし、第２クラッチ６６を接状態とするように制御する。この結果、伝達ギア群７１、両面専用ギア群７３、読取用ギア群７４及び第２ギア群７５に対して、それぞれのモータ２０１，２０２の駆動力が伝達される。
【００７７】
これにより、前述の片面読取モードと同様にピックアップローラ３１及び分離部３２が駆動される。また、案内ローラ３８及び三連ローラ４０も同様に駆動される。従って、分離部３２によって分離されて導入パス８０を通過した原稿９９は、（切替装置９５によって）第１両面専用パス８３側へ案内され、読取位置９０までほぼ一直線状に斜めに搬送される。
【００７８】
第１両面専用パス８３では原稿９９を反転させずに搬送するので、原稿９９の下側の面（裏側の面）が読取位置９０で先に読み取られることになる。読取位置９０を通過した原稿９９は、第２両面専用パス８４に搬送される。
【００７９】
また、三連ローラ３７及び搬送ローラ３６が読取用ギア群７４を介して駆動され、搬送ローラ４１〜４３が両面専用ギア群７３によって駆動される。従って、第２両面専用パス８４に案内された原稿９９は、折返し状に形成される第２両面専用パス８４によって反転させられ、原稿の表側の面が下に向けられた状態で読取位置９０まで案内され、スキャナユニット２５によって読み取られる。
【００８０】
更に、三連ローラ４０及び排出ローラ３９が第２ギア群７５を介して駆動されている。従って、原稿９９は排出パス８２を通過して、排出トレイ２４に排出される。
【００８１】
なお、この両面読取モードにおいては第１クラッチ５８が断状態となっているので、片面専用プーリ群７２への動力伝達は遮断され、片面専用パス８１の搬送ローラ３４，３５は駆動されない。従って、原稿９９が通過しない片面専用パス８１の部分の駆動を止めることができるので、省エネルギー性に優れるとともに、騒音を低減することができる。
【００８２】
以上に説明したように、本実施形態のイメージスキャナ装置２０は、原稿トレイ２３と、分離部３２と、スキャナユニット２５と、原稿搬送経路７０と、搬送ローラ３４〜３６，４１〜４３及び三連ローラ３７，４０と、第１モータ２０１と、伝達ギア群７１と、２つのクラッチ５８，６６と、制御部１１０と、を備える。原稿トレイ２３は、原稿９９をセット可能である。分離部３２は、原稿トレイ２３に積層された原稿９９を１枚ずつ分離して搬送する。スキャナユニット２５は、原稿９９の画像情報を読み取る。原稿搬送経路７０は、片面読取モードでは、原稿９９の片面のみがスキャナユニット２５によって読み取られるように原稿９９を案内し、両面読取モードでは、原稿９９の両面がスキャナユニット２５によって読み取られるように原稿９９を案内する。搬送ローラ３４〜３６，４１〜４３及び三連ローラ３７，４０は、原稿９９を原稿搬送経路７０に沿って搬送する。第１モータ２０１は、搬送ローラ３４〜３６，４１〜４３及び三連ローラ３７，４０を回転させるための動力を発生させる。伝達ギア群７１は、第１モータ２０１が発生させた動力を伝達する。クラッチ５８，６６は、伝達ギア群７１の動力を搬送ローラ３４，３５，４１〜４３に伝達するか遮断するかを切替可能である。制御部１１０は、片面読取モードでは、第１モータ２０１が発生させた動力を、片面のみを読み取るときに用いる搬送ローラ３４，３５に対して伝達するとともに、両面を読み取るときにのみ用いる搬送ローラ４１〜４３に対しては伝達しないように、クラッチ５８，６６を制御する。また、制御部１１０は、両面読取モードでは、第１モータ２０１が発生させた動力を、両面を読み取るときにのみ用いる搬送ローラ４１〜４３に対して伝達するとともに、片面のみを読み取るときにのみ用いる搬送ローラ３４，３５に対しては伝達しないように、クラッチ５８，６６を制御する。
【００８３】
これにより、片面読取と両面読取を切替可能なＡＤＦ型のイメージスキャナ装置２０を提供できる。また、原稿の搬送に使用されない経路の搬送ローラに動力を伝達しないようにすることができるので、第１モータ２０１の負担を軽減することができ、省電力で静音性に優れるイメージスキャナ装置２０を実現できる。
【００８４】
また、本実施形態のイメージスキャナ装置２０において、クラッチ５８，６６は電磁クラッチである。
【００８５】
これにより、イメージスキャナ装置２０を小型化及び軽量化することができる。また、電気信号で制御可能なため、簡単な構成で制御を行うことができる。
【００８６】
また、本実施形態のイメージスキャナ装置２０は以下の構成である。即ち、原稿搬送経路７０は、片面専用パス８１と、両面専用パス（第１両面専用パス８３及び第２両面専用パス８４）と、を含む。片面専用パス８１は、原稿９９の片面のみを読み取るときにのみ当該原稿９９が搬送される。両面専用パスは、原稿９９の両面を読み取るときにのみ当該原稿９９が搬送される。そして、第１モータ２０１により駆動可能な送りローラ（搬送ローラ３４〜３６，４１〜４３及び三連ローラ３７，４０）は、片面専用パス８１に設置される片面専用の搬送ローラ３４，３５と、両面専用パス（第２両面専用パス８４）に設置される両面専用の搬送ローラ４１〜４３と、を含む。制御部１１０は、片面読取モードでは、片面専用の搬送ローラ３４，３５に対しては第１モータ２０１の動力を伝達し、両面専用の搬送ローラ４１〜４３に対しては第１モータ２０１の動力を遮断するようにクラッチ５８，６６を制御する。また、制御部１１０は、両面読取モードでは、両面専用の搬送ローラ４１〜４３に対しては第１モータ２０１の動力を伝達し、片面専用の搬送ローラ３４，３５に対しては第１モータ２０１の動力を遮断するようにクラッチ５８，６６を制御する。
【００８７】
これにより、クラッチ５８，６６を制御する簡素な構成で、原稿９９の搬送に使用されない搬送経路の搬送ローラを状況に応じて停止させることができる。
【００８８】
また、本実施形態のイメージスキャナ装置２０においては、両面専用パスは、第１両面専用パス８３と第２両面専用パス８４を含む。第１両面専用パス８３は、分離部３２によって分離された原稿９９の一方の面がスキャナユニット２５によって読み取られるように原稿９９を案内する。第２両面専用パス８４は、第１両面専用パス８３を通って一方の面が読み取られた原稿９９の他方の面がスキャナユニット２５によって読み取られるように原稿９９を反転させて案内する。
【００８９】
これにより、第１両面専用パス８３と第２両面専用パス８４を設けることで、両面読取時に原稿９９が搬送される経路を柔軟に設定することができる。
【００９０】
また、本実施形態のイメージスキャナ装置２０においては、２つのクラッチ５８，６６は何れも、片面専用パス８１と両面専用パス（第２両面専用パス８４）との合流部９２の近傍に設置されている。
【００９１】
これにより、伝達ギア群７１及びクラッチ５８，６６を含めた動力伝達経路の構成を簡単にすることができる。
【００９２】
また、本実施形態のイメージスキャナ装置２０においては、第１モータ２０１が発生させた動力は、伝達ギア群７１と、読取位置９０の近傍に位置する三連ローラ３７，４０に動力を伝達する読取用ギア群７４と、に分かれて伝達される。
【００９３】
これにより、読取位置９０の近傍に位置する三連ローラ３７，４０がクラッチ５８，６６を経由せずに直接駆動されるので、三連ローラ３７，４０の回転に当該クラッチ５８，６６のガタが悪影響を及ぼすことを回避できる。この結果、原稿９９の読取時のブレを抑制でき、読取画像の歪みを防止することができる。
【００９４】
また、本実施形態のイメージスキャナ装置２０においては、制御部１１０は、原稿９９の片面のみを読み取るときに第１モータ２０１に流れる電流が、原稿９９の両面を読み取るときに第１モータ２０１に流れる電流より小さくなるように制御している。
【００９５】
これにより、原稿の片面のみを読み取る場合は、原稿搬送時の消費電力を節約することができる。一方で、原稿の両面を読み取る場合は、第２両面専用パス８４の搬送ローラ４１〜４３を含めて多くの搬送ローラの駆動が必要になるので、片面のみを読み取る場合に比べて大きな動力が必要になるが、その動力を生じさせるのに十分な電流を供給することができる。
【００９６】
以上に本発明の好適な実施の形態を説明したが、上記の構成は例えば以下のように変更することができる。
【００９７】
上記実施形態では、片面専用パス８１と第２両面専用パス８４が合流部９２で合流するように構成されているが、この構成に代えて、片面専用パス８１と第２両面専用パス８４が合流しないように別々の経路を通って読取位置９０まで原稿を案内する構成に変更することができる。
【００９８】
上記実施形態では、片面読取モードでは、第２両面専用パス８４の搬送ローラ４１〜４３の駆動は全て遮断されるようになっている。しかしながら、一部の搬送ローラ（例えば搬送ローラ４１，４２）に対してだけ動力を遮断し、残りの搬送ローラ４３には動力を伝達するように構成しても良い。
【００９９】
また、上記実施形態では、両面読取モードでは、片面専用パス８１の搬送ローラ３４，３５の駆動は全て遮断されるようになっている。しかしながら、一部の搬送ローラ（例えば搬送ローラ３４）に対してだけ動力を遮断し、残りの搬送ローラ３５には動力を伝達するように構成しても良い。
【０１００】
前記の三連ローラ３７，４０に代えて、駆動ローラと従動ローラを１つずつ備える通常の構成の搬送ローラを配置するように変更することもできる。
【０１０１】
また、上記実施形態では、読取部に縮小光学系のスキャナユニット２５を採用しているが、これに代えて、読取部として例えば密着型イメージセンサ等を使用する構成に変更することができる。また、上記実施形態では、本体１１にスキャナユニット２５が配置されているが、読取部をＡＤＦ内に配置する構成に変更することもできる。このように、読取部の構成は、事情に応じて適宜変更することができる。
【０１０２】
上記の実施形態の構成は、コピーファクシミリ複合機に限らず、例えば単体のコピー機に適用することができる。
【符号の説明】
【０１０３】
２０  イメージスキャナ装置（画像読取装置）
２１  ＡＤＦ
２５  スキャナユニット（読取部）
３２  分離部
３４，３５  搬送ローラ（片面専用の送りローラ）
３６  搬送ローラ（送りローラ）
３７，４０  三連ローラ（送りローラ）
４１〜４３  搬送ローラ（両面専用の送りローラ）
５８  第１クラッチ（クラッチ）
６６  第２クラッチ（クラッチ）
７０  原稿搬送経路
７１  伝達ギア群（動力伝達部）
７４  読取用ギア群（動力伝動部）
８１  片面専用パス
８３  第１両面専用パス
８４  第２両面専用パス
９０  読取位置
１１０  制御部
２０１  第１モータ（駆動源）
【図１】
2010269934.tif 000003
【図２】
2010269934.tif 000004
【図３】
2010269934.tif 000005
【図４】
2010269934.tif 000006